(57)【特許請求の範囲】
【請求項１】
非接触ＩＣカードからＰＡＮを含む複数の情報を読み取り、前記読み取った複数の情報の少なくとも１つを用いて前記非接触ＩＣカードを認証する読み取り機と、  前記読み取り機から受信した認証の結果とサーバから受信した確認結果とを用いて、所定の動作を実行する制御装置と、  前記読み取り機から前記制御装置を介してＰＡＮを受信し、前記受信したＰＡＮがリストに記憶されているかどうかの前記確認結果を前記制御装置に送信する前記サーバと、を備えたシステムであって、  前記読み取り機は、前記認証の終了前に、前記非接触ＩＣカードから読み取ったＰＡＮを前記制御装置を介して前記サーバに送信するシステム。
【請求項２】
非接触ＩＣカードからＰＡＮを含む複数の情報を読み取り、前記読み取った複数の情報の少なくとも１つを用いて前記非接触ＩＣカードを認証する読み取り機と、前記読み取り機から受信した認証の結果とサーバから受信した確認結果とを用いて、所定の動作を実行する制御装置と、前記読み取り機から前記制御装置を介してＰＡＮを受信し、前記受信したＰＡＮがリストに記憶されているかどうかの前記確認結果を前記制御装置に送信する前記サーバと、を備えたシステムにおける前記読み取り機であって、  前記認証の終了前に、前記非接触ＩＣカードから読み取ったＰＡＮを前記制御装置を介して前記サーバに送信する読み取り機。
【請求項３】
非接触ＩＣカードからＰＡＮを含む複数の情報を読み取り、前記読み取った複数の情報の少なくとも１つを用いて前記非接触ＩＣカードを認証する読み取り機と、前記読み取り機から受信した認証の結果とサーバから受信した確認結果とを用いて、所定の動作を実行する制御装置と、前記読み取り機から前記制御装置を介してＰＡＮを受信し、前記受信したＰＡＮがリストに記憶されているかどうかの前記確認結果を前記制御装置に送信する前記サーバと、を備えたシステムにおける前記制御装置であって、  前記読み取り機から前記認証の結果を受信する前に、前記読み取り機から前記ＰＡＮを受信する制御装置。
【請求項４】
非接触ＩＣカードからＰＡＮを含む複数の情報を読み取り、前記読み取った複数の情報の少なくとも１つを用いて前記非接触ＩＣカードを認証する読み取り機と、  前記読み取り機からＰＡＮと認証の結果とを受信し、前記受信したＰＡＮがリストに記憶されているかどうかの確認結果と、前記受信した認証の結果とを用いて、所定の動作を実行する制御装置と、を備えたシステムであって、  前記読み取り機は、前記認証の終了前に、前記非接触ＩＣカードから読み取ったＰＡＮを前記制御装置に送信するシステム。
【請求項５】
非接触ＩＣカードからＰＡＮを含む複数の情報を読み取り、前記読み取った複数の情報の少なくとも１つを用いて前記非接触ＩＣカードを認証する読み取り機と、前記読み取り機からＰＡＮと認証の結果とを受信し、前記受信したＰＡＮがリストに記憶されているかどうかの確認結果と、前記受信した認証の結果とを用いて、所定の動作を実行する制御装置と、を備えたシステムにおける前記読み取り機であって、  前記認証の終了前に、前記非接触ＩＣカードから読み取ったＰＡＮを前記制御装置に送信する読み取り機。
【請求項６】
非接触ＩＣカードからＰＡＮを含む複数の情報を読み取り、前記読み取った複数の情報の少なくとも１つを用いて前記非接触ＩＣカードを認証する読み取り機と、前記読み取り機からＰＡＮと認証の結果とを受信し、前記受信したＰＡＮがリストに記憶されているかどうかの確認結果と、前記受信した認証の結果とを用いて、所定の動作を実行する制御装置と、を備えたシステムにおける前記制御装置であって、  前記読み取り機から前記認証の結果を受信する前に、前記読み取り機から前記ＰＡＮを受信する制御装置。 
【発明の詳細な説明】
【技術分野】
【０００１】  本開示は、システム、読み取り機、及び制御装置に関する。
【背景技術】
【０００２】  カードが本物であるかどうかの認証に加えて、そのカードが盗難または紛失された等の理由によって使用が禁止または制限されたものであるのかどうかをリストを用いて確認するシステムが知られている（特許文献１参照）。
【先行技術文献】
【特許文献】
【０００３】
【特許文献１】特開２０００−２０４６７号公報
【発明の概要】
【発明が解決しようとする課題】
【０００４】  本発明の一実施形態では、カードが本物であるかどうかの認証（読み取り機での認証）の完了を待つことなく、使用が禁止または制限されたものであるかどうかのチェックをリストを用いて行い、システム全体の処理時間を短縮することを目的とする。
【課題を解決するための手段】
【０００５】  本発明は、次の一実施形態を含む。【０００６】  非接触ＩＣカードからＰＡＮを含む複数の情報を読み取り、前記読み取った複数の情報の少なくとも１つを用いて前記非接触ＩＣカードを認証する読み取り機と、  前記読み取り機から受信した認証の結果とサーバから受信した確認結果とを用いて、所定の動作を実行する制御装置と、  前記読み取り機から前記制御装置を介してＰＡＮを受信し、前記受信したＰＡＮがリストに記憶されているかどうかの前記確認結果を前記制御装置に送信する前記サーバと、を備えたシステムであって、  前記読み取り機は、前記認証の終了前に、前記非接触ＩＣカードから読み取ったＰＡＮを前記制御装置を介して前記サーバに送信するシステム。【０００７】  非接触ＩＣカードからＰＡＮを含む複数の情報を読み取り、前記読み取った複数の情報の少なくとも１つを用いて前記非接触ＩＣカードを認証する読み取り機と、前記読み取り機から受信した認証の結果とサーバから受信した確認結果とを用いて、所定の動作を実行する制御装置と、前記読み取り機から前記制御装置を介してＰＡＮを受信し、前記受信したＰＡＮがリストに記憶されているかどうかの前記確認結果を前記制御装置に送信する前記サーバと、を備えたシステムにおける前記読み取り機であって、  前記認証の終了前に、前記非接触ＩＣカードから読み取ったＰＡＮを前記制御装置を介して前記サーバに送信する読み取り機。【０００８】  非接触ＩＣカードからＰＡＮを含む複数の情報を読み取り、前記読み取った複数の情報の少なくとも１つを用いて前記非接触ＩＣカードを認証する読み取り機と、前記読み取り機から受信した認証の結果とサーバから受信した確認結果とを用いて、所定の動作を実行する制御装置と、前記読み取り機から前記制御装置を介してＰＡＮを受信し、前記受信したＰＡＮがリストに記憶されているかどうかの前記確認結果を前記制御装置に送信する前記サーバと、を備えたシステムにおける前記制御装置であって、  前記読み取り機から前記認証の結果を受信する前に、前記読み取り機から前記ＰＡＮを受信する制御装置。【０００９】  非接触ＩＣカードからＰＡＮを含む複数の情報を読み取り、前記読み取った複数の情報の少なくとも１つを用いて前記非接触ＩＣカードを認証する読み取り機と、  前記読み取り機からＰＡＮと認証の結果とを受信し、前記受信したＰＡＮがリストに記憶されているかどうかの確認結果と、前記受信した認証の結果とを用いて、所定の動作を実行する制御装置と、を備えたシステムであって、  前記読み取り機は、前記認証の終了前に、前記非接触ＩＣカードから読み取ったＰＡＮを前記制御装置に送信するシステム。【００１０】  非接触ＩＣカードからＰＡＮを含む複数の情報を読み取り、前記読み取った複数の情報の少なくとも１つを用いて前記非接触ＩＣカードを認証する読み取り機と、前記読み取り機からＰＡＮと認証の結果とを受信し、前記受信したＰＡＮがリストに記憶されているかどうかの確認結果と、前記受信した認証の結果とを用いて、所定の動作を実行する制御装置と、を備えたシステムにおける前記読み取り機であって、  前記認証の終了前に、前記非接触ＩＣカードから読み取ったＰＡＮを前記制御装置に送信す��読み取り機。【００１１】  非接触ＩＣカードからＰＡＮを含む複数の情報を読み取り、前記読み取った複数の情報の少なくとも１つを用いて前記非接触ＩＣカードを認証する読み取り機と、前記読み取り機からＰＡＮと認証の結果とを受信し、前記受信したＰＡＮがリストに記憶されているかどうかの確認結果と、前記受信した認証の結果とを用いて、所定の動作を実行する制御装置と、を備えたシステムにおける前記制御装置であって、  前記読み取り機から前記認証の結果を受信する前に、前記読み取り機から前記ＰＡＮを受信する制御装置。
【発明の効果】
【００１２】  本発明の一実施形態によれば、カードが本物であるかどうかの認証（読み取り機での認証）の完了を待つことなく、使用が禁止または制限されたものであるかどうかのチェックをリストを用いて行い、システム全体の処理時間を短縮することができる。
【図面の簡単な説明】
【００１３】
【図１Ａ】実施形態１に係るシステムの構成を説明する模式図である。
【図１Ｂ】実施形態１に係るシステムの動作例を説明する模式図である。
【図１Ｃ】比較例１に係るシステムの動作例を説明する模式図である。
【図２Ａ】実施形態２に係るシステムの構成を説明する模式図である。
【図２Ｂ】実施形態２に係るシステムの動作例を説明する模式図である。
【図２Ｃ】比較例２に係るシステムの動作例を説明する模式図である。
【図３】リストの記憶例を説明する模式図である。
【発明を実施するための形態】
【００１４】［実施形態１に係るシステム１の構成］  図１Ａは、実施形態１に係るシステムの構成を説明する模式図である。図１Ａに示すように、実施形態１に係るシステム１は、非接触ＩＣカード４０からＰＡＮを含む複数の情報を読み取り、読み取った複数の情報の少なくとも１つを用いて非接触ＩＣカード４０を認証する読み取り機１０と、読み取り機１０から受信した認証の結果とサーバ３０から受信した確認結果とを用いて、所定の動作を実行する制御装置２０と、読み取り機１０から制御装置２０を介してＰＡＮを受信し、受信したＰＡＮがリストに記憶されているかどうかの確認結果を制御装置２０に送信するサーバ３０と、を備えたシステムであって、読み取り機１０は、複数の情報を読み取った後、認証の終了前に、非接触ＩＣカード４０から読み取ったＰＡＮを制御装置２０を介してサーバ３０に送信するシステムである。以下、詳細に説明する。
【００１５】（システム１）  システム１は、広く入退場を行う場合に利用することができ、例えば、非接触ＩＣカード４０を用いて駅の改札機を通過する場合やバスを乗り降りする場合や、オフィスや施設の入退場などの場合に好ましく利用することができる。
【００１６】（読み取り機１０）  読み取り機１０は、非接触ＩＣカード４０との間で非接触通信を行い、非接触ＩＣカード４０に記憶されている情報を読み取る機器である。非接触ＩＣカード４０にはクレジットカード、プリペイドカード、デビットカードが含まれる。読み取り機１０は、例えば、駅の改札機、バスの乗降口に設置されているカードリーダ、オフィスや施設のゲートなどである。
【００１７】（制御装置２０）  制御装置２０は、ゲートの開閉やディスプレイの制御を行う装置である。制御装置２０は、例えば、駅の改札機、バスの乗降口に設置されているカードリーダ、オフィスや施設のゲートなどである。制御装置２０は読み取り機１０と一体のものであってもよいし、読み取り機１０とは分離したものであってもよい。制御装置２０と読み取り機１０が分離している場合には、両装置を有線接続（例：ＵＳＢ）や無線接続によって接続することができる。制御装置２０にはゲートやディスププレイなどを接続することができる。
【００１８】（サーバ３０）  サーバ３０は、後述のリストを管理する装置である。サーバ３０には例えばネットワーク５０上にあるクラウドサーバなどを用いることができる。サーバ３０はリストを記憶する記憶部３４を備えていてもよい。記憶部３４はハードディスクやフラッシュメモリなどにより実現することができる。
【００１９】（リスト）  図３はリストの記憶例を説明する模式図である。図３に示すように、リストは、ＰＡＮ（Ｐｒｉｍａｒｙ  Ａｃｃｏｕｎｔ  Ｎｕｍｂｅｒ：プライマリーアカウントナンバー）が記憶された記憶領域である。リストに記憶されているＰＡＮに対しては、制御装置２０による所定の動作が拒否される。ＰＡＮは、例えば、１４桁から１６桁の数字からなる番号であり、非接触ＩＣカード４０ごとに異なる番号が割り振られている。ＰＡＮは、非接触ＩＣカード４０を用いた決済時などに用いられる。なお、ＰＡＮは、セキュリティを向上させるため、ハッシュ化されていることが好ましく、ハッシュ化された状態で送受信や記憶などされることが好ましい。本明細書におけるＰＡＮには、ハッシュ化されていないＰＡＮ（ＰＡＮそのもの）のほか、ハッシュ化されたＰＡＮや暗号化されたＰＡＮなどの、ＰＡＮと実質的に一義的に対応する番号が含まれるものとする。
【００２０】（その他）  制御装置２０とサーバ３０は、例えばインターネットや専用線などのネットワーク５０を介して接続されている。読み取り機１０、制御装置２０、及びサーバ３０は、それぞれ演算部１２、２２、３２を備えており、これらの機器は、演算部１２、２２、３２で演算を実行することにより動作する。演算部１２、２２、３２は例えばＣＰＵやＲＡＭなどにより実現することができる。
【００２１】［実施形態１に係るシステム１の動作例］  図１Ｂは、実施形態１に係るシステム１の動作を説明する模式図である。以下、図１Ｂを参照しつつ、実施形態１に係るシステム１の動作を説明する。
【００２２】（Ｓｔｅｐ１１）  まず、読み取り機１０が、非接触ＩＣカード４０からＰＡＮを含む複数の情報を読み取る。
【００２３】（Ｓｔｅｐ１２）  読み取り機１０は、Ｓｔｅｐ１１で複数の情報を読み取った後、認証（Ｓｔｅｐ１４）の終了前に、非接触ＩＣカード４０から読み取ったＰＡＮを制御装置２０に送信する。制御装置２０は、読み取り機１０から、認証（Ｓｔｅｐ１４）の結果を受信する前に、ＰＡＮを受信する。
【００２４】（Ｓｔｅｐ１３）  次に、サーバ３０が、読み取り機１０から制御装置２０を介してＰＡＮを受信する。
【００２５】（Ｓｔｅｐ１４）  次に、読み取り機１０が、Ｓｔｅｐ１１で読み取った複数の情報の少なくとも１つを用いて非接触ＩＣカード４０を認証する。認証は、カードの真正を確認する処理（つまり、カードがカードの運営者等が発行したもの（本物）であるかどうかを確認する処理）である。認証は、例えば、ＳＤＡ（Ｓｔａｔｉｃ  Ｄａｔａ  Ａｕｔｈｅｎｔｉｃａｔｉｏｎ）、ＤＤＡ（Ｄｙｎａｍｉｃ  Ｄａｔａ  Ａｕｔｈｅｎｔｉｃａｔｉｏｎ、またはＣＤＡ（Ｃｏｍｂｉｎｅｄ  Ｄａｔａ  Ａｕｔｈｅｎｔｉｃａｔｉｏｎ）などの方式に基づいて行うことができる。ＳＤＡにより認証を行う場合は、例えば、非接触ＩＣカード４０からデジタル署名を読み取り、この読み取ったデジタル署名が読み取り機１０に記憶されるカードに対応する公開鍵を用いて署名を検証することにより行うことができる。この場合は、例えば、真正（本物）の非接触ＩＣカード４０に、読み取り機１０が記憶する公開鍵に対応する秘密鍵で算出されたデジタル署名が記憶されているものとする。
【００２６】（Ｓｔｅｐ１５）  次に、サーバ３０が、読み取り機１０から制御装置２０を介して受信したＰＡＮがリストに記憶されているかどうかの確認を行う。
【００２７】（Ｓｔｅｐ１６）  次に、読み取り機１０が、Ｓｔｅｐ１４での認証の結果を制御装置２０に送信する。
【００２８】（Ｓｔｅｐ１７）  次に、サーバ３０が、Ｓｔｅｐ１５での確認結果を制御装置２０に送信する。
【００２９】（Ｓｔｅｐ１８）  次に、制御装置２０が、読み取り機１０から受信した認証の結果とサーバ３０から受信した確認結果とを用いて、所定の動作を実行する。所定の動作には、ゲートの開閉やディスプレイに所定の文字、画像、及び／又は動画などを表示することなどが含まれる。
【００３０】［比較例１に係るシステムの動作］  図１Ｃは、比較例１に係るシステムの動作を説明する模式図である。以下、図１Ｃを参照しつつ、比較例１に係るシステムの動作を説明する。
【００３１】（Ｓｔｅｐ３１）  まず、読み取り機１０が、非接触ＩＣカード４０からＰＡＮを含む複数の情報を読み取る。
【００３２】（Ｓｔｅｐ３２）  次に、読み取り機１０が、Ｓｔｅｐ３１で読み取った複数の情報の少なくとも１つを用いて非接触ＩＣカード４０を認証する。
【００３３】（Ｓｔｅｐ３３）  次に、読み取り機１０が、非接触ＩＣカード４０から読み取ったＰＡＮを制御装置２０を介してサーバ３０に送信する。
【００３４】（Ｓｔｅｐ３４）  次に、サーバ３０が、読み取り機１０から制御装置２０を介してＰＡＮを受信する。
【００３５】（Ｓｔｅｐ３５）  次に、サーバ３０が、読み取り機１０から制御装置２０を介して受信したＰＡＮがリストに記憶されているかどうかの確認を行う。
【００３６】（Ｓｔｅｐ３６）  次に、読み取り機１０が、Ｓｔｅｐ３２での認証の結果を制御装置２０に送信する。
【００３７】（Ｓｔｅｐ３７）  次に、サーバ３０が、Ｓｔｅｐ３５での確認結果を制御装置２０に送信する。
【００３８】（Ｓｔｅｐ３８）  次に、制御装置２０が、読み取り機１０から受信した認証の結果とサーバ３０から受信した確認結果とを用いて、所定の動作を実行する。
【００３９】  制御装置２０による所定の動作（Ｓｔｅｐ１８、Ｓｔｅｐ３８）は、読み取り機１０による認証の結果とサーバ３０によるリストの確認の結果（ＰＡＮがリストに記憶されていないという確認の結果）が揃わないと実行することができない。実施形態１と比較例１とを比較すると、比較例１では、読み取り機が、認証（Ｓｔｅｐ３２）の終了後に非接触ＩＣカードから読み取ったＰＡＮを制御装置を介してサーバに送信するため、Ｓｔｅｐ３４（制御装置２０からサーバ３０へのＰＡＮの送信）、Ｓｔｅｐ３５（サーバ３０によるリストの確認）、Ｓｔｅｐ３７（サーバ３０から制御装置２０へのリスト確認結果の送信）に規定する動作の開始が実施形態１よりも遅くなる。他方、実施形態１では、読み取り機１０が、Ｓｔｅｐ１１で複数の情報を読み取った後、認証（Ｓｔｅｐ１４）の終了前に、非接触ＩＣカード４０から読み取ったＰＡＮを制御装置２０を介してサーバ３０に送信するため、Ｓｔｅｐ１３（制御装置２０からサーバ３０へのＰＡＮへのＰＡＮの送信）、Ｓｔｅｐ１５（サーバ３０によるリストの確認）、Ｓｔｅｐ１７（サーバ３０から制御装置２０へのリスト確認結果の送信）に規定する動作を比較例１よりも早く開始することができる。したがって、実施形態１によれば、比較例１よりも、サーバ３０から制御装置２０に対してリストの確認結果（Ｓｔｅｐ１８、Ｓｔｅｐ３８）を早く届けることが可能となる。このため、実施形態１によれば、読み取り機１０による読み取り（Ｓｔｅｐ１１）の開始から所定の動作（Ｓｔｅｐ１８）の開始までに要する時間を短縮することができる。例えば、実施形態１における、読み取り機１０による読み取り（Ｓｔｅｐ１１）の開始から所定の動作（Ｓｔｅｐ１８）の開始までに要する時間をＴ１とし、比較例１における、読み取り機による読み取り（Ｓｔｅｐ３１）の開始から所定の動作（Ｓｔｅｐ３８）の開始までに要する時間をＴ３とすると、Ｔ１＜Ｔ３の関係を実現することができる。
【００４０】  実施形態１では、読み取り機１０が、Ｓｔｅｐ１１で複数の情報を読み取った後、認証（Ｓｔｅｐ１４）の終了前に、非接触ＩＣカード４０から読み取ったＰＡＮを制御装置２０を介してサーバ３０に送信するものとしたが、認証の終了前には、複数の情報の読み取り後であって認証の開始前のほか、ＰＡＮの読み取りの後、他の情報を読み取る前（つまり、複数の情報の読み取りを完了する前であって、ＰＡＮの読み取り後直ちに）が含まれる。ＰＡＮの読み取りの後、他の処理を開始する前あるいはＳｔｅｐ１１で他の情報を読み取る前（つまり、ＰＡＮの読み取り後直ちに）にＰＡＮを送信するものとすれば、Ｓｔｅｐ１３、Ｓｔｅｐ１５、Ｓｔｅｐ１７に規定する動作をより早く開始して、サーバ３０から制御装置２０に対して確認結果（Ｓｔｅｐ１８、Ｓｔｅｐ３８）をより早く届けることが可能となる。
【００４１】  実施形態１においては、読み取り機１０が、Ｓｔｅｐ１１で複数の情報を読み取った後、認証（Ｓｔｅｐ１４）の終了前に、非接触ＩＣカード４０から読み取ったＰＡＮを制御装置２０を介してサーバ３０に送信すればよく、上記したＳｔｅｐ１３からＳｔｅｐ１７の間においてこれらステップが実行される順序は問わない。
【００４２】［実施形態２に係るシステム２の構成］  図２Ａは、実施形態２に係るシステムの構成を説明する模式図である。図２Ａに示すように、実施形態２に係るシステム２は、非接触ＩＣカード４０からＰＡＮを含む複数の情報を読み取り、読み取った複数の情報の少なくとも１つを用いて非接触ＩＣカード４０を認証する読み取り機１０と、読み取り機１０からＰＡＮと認証の結果とを受信し、受信したＰＡＮがリストに記憶されているかどうかの確認結果と、受信した認証の結果とを用いて、所定の動作を実行する制御装置２０と、を備えたシステムであって、読み取り機１０は、複数の情報を読み取った後、認証の終了前に、非接触ＩＣカード４０から読み取ったＰＡＮを前記制御装置２０に送信するシステムである。以下、詳細に説明する。
【００４３】（システム２、制御装置２０、読み取り機１０）  システム２、制御装置２０、読み取り機１０は、実施形態１のシステム１、制御装置２０、読み取り機１０と同様の構成であるので説明を省略する。ただし、実施形態２では、実施形態１と異なり、制御装置２０がリストを管理しており、制御装置２０がリストを記憶する記憶部２４を備えている。
【００４４】（リスト）  リストの構成は、実施形態１と同様であるので、説明を省略する。
【００４５】［実施形態２に係るシステム２の動作例］  図２Ｂは、実施形態２に係るシステムの動作を説明する模式図である。以下、図２Ｂを参照しつつ、実施形態２に係るシステム２の動作を説明する。
【００４６】（Ｓｔｅｐ２１）  まず、読み取り機１０が、非接触ＩＣカード４０からＰＡＮを含む複数の情報を読み取る。
【００４７】（Ｓｔｅｐ２２）  読み取り機１０は、Ｓｔｅｐ２１で複数の情報を読み取った後、認証（Ｓｔｅｐ２３）の終了前に、非接触ＩＣカード４０から読み取ったＰＡＮを制御装置２０に送信する。制御装置２０は、読み取り機１０から、認証（Ｓｔｅｐ２３）の結果を受信する前に、ＰＡＮを受信する。
【００４８】（Ｓｔｅｐ２３）  次に、読み取り機１０が、Ｓｔｅｐ２１で読み取った複数の情報の少なくとも１つを用いて非接触ＩＣカード４０を認証する。認証の態様は、実施形態１と同様であるので説明を省略する。
【００４９】（Ｓｔｅｐ２４）  次に、制御装置２０が、読み取り機１０から受信したＰＡＮがリストに記憶されているかどうかの確認を行う。
【００５０】（Ｓｔｅｐ２５）  次に、読み取り機１０が、Ｓｔｅｐ２３での認証の結果を制御装置２０に送信する。
【００５１】（Ｓｔｅｐ２６）  次に、制御装置２０が、読み取り機１０から受信した認証の結果とＳｔｅｐ２４での確認結果とを用いて、所定の動作を実行する。所定の動作の態様は、実施形態１と同様であるので、説明を省略する。
【００５２】［比較例２に係るシステムの動作］  図２Ｃは、比較例２に係るシステムの動作を説明する模式図である。以下、図２Ｃを参照しつつ、比較例２に係るシステムの動作を説明する。
【００５３】（Ｓｔｅｐ４１）  まず、読み取り機１０が、非接触ＩＣカード４０からＰＡＮを含む複数の情報を読み取る。
【００５４】（Ｓｔｅｐ４２）  次に、読み取り機１０が、Ｓｔｅｐ４１で読み取った複数の情報の少なくとも１つを用いて非接触ＩＣカード４０を認証する。
【００５５】（Ｓｔｅｐ４３）  次に、読み取り機１０が、非接触ＩＣカード４０から読み取ったＰＡＮを制御装置２０に送信する。
【００５６】（Ｓｔｅｐ４４）  次に、制御装置２０が、読み取り機１０から受信したＰＡＮがリストに記憶されているかどうかの確認を行う。
【００５７】（Ｓｔｅｐ４５）  次に、読み取り機１０が、Ｓｔｅｐ４２での認証の結果を制御装置２０に送信する。
【００５８】（Ｓｔｅｐ４６）  次に、制御装置２０が、読み取り機１０から受信した認証の結果とＳｔｅｐ４４での確認結果とを用いて、所定の動作を実行する。
【００５９】  実施形態２と比較例２とを比較すると、比較例２では、読み取り機１０が、認証（Ｓｔｅｐ４２）の終了後に非接触ＩＣカード４０から読み取ったＰＡＮを制御装置２０に送信するため、Ｓｔｅｐ４４（制御装置２０によるリストの確認）に規定する動作の開始が実施形態２よりも遅くなる。他方、実施形態２では、読み取り機１０が、Ｓｔｅｐ２１で複数の情報を読み取った後、認証（Ｓｔｅｐ２３）の終了前に、非接触ＩＣカード４０から読み取ったＰＡＮを制御装置２０に送信するため、Ｓｔｅｐ２４（リストの確認）に規定する動作を比較例２よりも早く開始することができる。したがって、実施形態２によれば、比較例２よりも、読み取り機１０による読み取り（Ｓｔｅｐ２１）の開始から所定の動作（Ｓｔｅｐ２７）の開始までに要する時間を短縮することができる。例えば、実施形態２における、読み取り機１０による読み取り（Ｓｔｅｐ２１）の開始から所定の動作（Ｓｔｅｐ２７）の開始までに要する時間をＴ２とし、比較例２における、読み取り機１０による読み取り（Ｓｔｅｐ４１）の開始から所定の動作（Ｓｔｅｐ４７）の開始までに要する時間をＴ４とすると、Ｔ２＜Ｔ４の関係を実現することができる。
【００６０】  実施形態２では、読み取り機１０が、Ｓｔｅｐ２１で複数の情報を読み取った後、認証（Ｓｔｅｐ２３）の終了前に、非接触ＩＣカード４０から読み取ったＰＡＮを制御装置２０に送信するものとしたが、認証の終了前には、複数の情報の読み取り後であって認証の開始前のほか、ＰＡＮの読み取りの後、他の情報を読み取る前（つまり、複数の情報の読み取りを完了する前であって、ＰＡＮの読み取り後直ちに）が含まれる。ＰＡＮの読み取り（Ｓｔｅｐ２１）の後、他の処理を開始する前、あるいはＳｔｅｐ２１で他の情報を読み取る前（つまり、ＰＡＮの読み取り後直ちに）にＰＡＮを送信するものとすれば、Ｓｔｅｐ２４（リストの確認）に規定する動作をより早く開始して、制御装置２０による所定の動作（Ｓｔｅｐ２７）をより早く開始することができる。
【００６１】  実施形態２においては、読み取り機１０が、Ｓｔｅｐ２１で複数の情報を読み取った後、認証（Ｓｔｅｐ２３）の終了前に、非接触ＩＣカード４０から読み取ったＰＡＮを制御装置２０に送信すればよく、上記したＳｔｅｐ２３、Ｓｔｅｐ２４、Ｓｔｅｐ２５が実行される順序は問わない。
【００６２】  交通用途（バスや鉄道など）での非接触ＩＣカードの利用では大量の乗降客による渋滞を避けるため、処理速度が重要になる。一方で、非接触ＩＣカードはカードによっては処理速度が遅いものがあり、システム全体としていかに高速に乗降判定を実施するかが課題となる。交通用途で非接触ＩＣカードを使用する場合、カードが本物であるかどうかの認証（読み取り機での認証）を行うがそれと同時にそのカードがシステム運営側が持つリスト（例：Ｄｅｎｙ  Ｌｉｓｔ：拒否リスト）に記憶されていないかどうかも確認する必要がある。上記の認証は処理時間が長いため、それが終わった後にリストの確認を行うとさらに処理時間が遅くなる。しかし、以上説明した実施形態１、２によれば、カードが本物であるかどうかの認証（読み取り機１０での認証）の完了を待つことなくリストのチェックが行えるため、システム全体の処理時間を短縮することができる。つまり、カードが本物であるかどうかの認証（読み取り機１０での認証）が始まる前にカードからカード番号（ＰＡＮ）が読みとれた時点で、先にリストのチェックを行うと同時に、上記の認証（読み取り機１０での認証）も行うことが可能となる。つまりリストのチェックとカードが本物かどうかの認証を並行して行うことが可能となる。制御装置２０は、上記の認証（読み取り機１０での認証）が成功し、且つリストにも該当しなかった場合に乗降／入退場をＯＫと判定し、ゲートを開閉したりディスプレイに通過ＯＫの文字を表示したりなどの所定の動作を実行する。
【００６３】  以上、実施形態について説明したが、これらの説明は、本発明の一例に関するものであり、本発明は、これらの説明によって何ら限定されるものではない。
【符号の説明】
【００６４】１、２    システム１０    読み取り機１２    演算部２０    制御装置２２    演算部２４    記憶部３０    サーバ３２    演算部３４    記憶部４０    非接触ＩＣカード５０    ネットワーク 
【要約】  認証（読み取り機での認証）の完了を待つことなく、リストのチェックを行い、システム全体の処理時間を短縮する。非接触ＩＣカードからＰＡＮを含む複数の情報を読み取り、前記読み取った複数の情報の少なくとも１つを用いて前記非接触ＩＣカードを認証する読み取り機と、前記読み取り機から受信した認証の結果とサーバから受信した確認結果とを用いて、所定の動作を実行する制御装置と、前記読み取り機から前記制御装置を介してＰＡＮを受信し、前記受信したＰＡＮがリストに記憶されているかどうかの前記確認結果を前記制御装置に送信する前記サーバと、を備えたシステムであって、前記読み取り機は、前記複数の情報を読み取った後、前記認証の終了前に、前記非接触ＩＣカードから読み取ったＰＡＮを前記制御装置を介して前記サーバに送信するシステム。【図１Ａ】
0006846755.tif 000002
【図１Ｂ】
0006846755.tif 000003
【図１Ｃ】
0006846755.tif 000004
【図２Ａ】
0006846755.tif 000005
【図２Ｂ】
0006846755.tif 000006
【図２Ｃ】
0006846755.tif 000007
【図３】
0006846755.tif 000008